(57)【要約】 【課題】  遮光アパーチャによって発生する迷光の受光素子への入射を防止することができ、安定した信号検出を行うことができる光ピックアップ装置を提供する。【解決手段】  ホログラムユニット２８のホログラム素子２４に対応して、ホログラム素子２４と光記録媒体３３との間の光経路上に、光源２２から出射されるレーザ光のうちで光源２２から光記録媒体３３の情報記録面に照射される照射光および光記録媒体３３の情報記録面によって反射されて受光素子２３によって受光される反射光以外の不要光を遮光する遮光アパーチャ２９が配置される。遮光アパーチャ２９には、前記照射光および反射光以外の不要光を、受光素子２３以外の方向へ導く不要光案内面２９ａが形成される。これによって、前記照射光および反射光以外の不要光が受光素子２３へ入射することを確実に防止することができ、安定した信号検出を行うことができる。【選択図】      図１
2005216458.tif 000002
【特許請求の範囲】
【請求項１】
予め定める波長帯域のレーザ光を出射する光源と、入射したレーザ光を回折させるホログラム素子と、前記レーザ光の光軸に垂直な方向に光源と隣接して、ホログラム素子によって回折された回折光の光経路上に配置される受光素子とを有する１または複数のホログラムユニットと、
前記ホログラムユニットのホログラム素子に対応して、ホログラム素子と光記録媒体との間の光経路上に配置され、前記レーザ光のうちで前記光源から光記録媒体に照射される照射光および光記録媒体によって反射されて受光素子によって受光される反射光以外の不要光を遮光する遮光部材とを含み、
前記遮光部材には、前記照射光および反射光以外の不要光を、前記受光素子以外の方向へ導く不要光案内面が前記光源に臨んで形成されることを特徴とする光ピックアップ装置。
【請求項２】
前記遮光部材の不要光案内面は、曲面であることを特徴とする請求項１記載の光ピックアップ装置。
【請求項３】
前記遮光部材の不要光案内面は、前記レーザ光の光軸に対して垂直以外の角度をなす平面であることを特徴とする請求項１記載の光ピックアップ装置。
【請求項４】
前記遮光部材の不要光案内面は、前記受光素子に向かって凹状の曲面であることを特徴とする請求項１記載の光ピックアップ装置。
【請求項５】
前記遮光部材の不要光案内面は、前記受光素子に臨み、かつ前記照射光の光軸に対して垂直以外の角度をなす平面であることを特徴とする請求項１記載の光ピックアップ装置。
【請求項６】
前記光源から出射されたレーザ光を光記録媒体に導くための予め定める複数の導光手段を含み、
前記導光手段は、前記ホログラム素子と光記録媒体との間の光経路上に配置され、
前記遮光部材は、前記ホログラム素子と、ホログラム素子に最隣接する導光手段との間の光経路上に配置されることを特徴とする請求項１〜５のいずれか１つに記載の光ピックアップ装置。
【請求項７】
前記遮光部材は、前記ホログラム素子に最隣接する前記導光手段と一体に構成されることを特徴とする請求項６記載の光ピックアップ装置。
【請求項８】
前記遮光部材は、前記ホログラム素子と一体に構成されることを特徴とする請求項１〜６のいずれか１つに記載の光ピックアップ装置。
【請求項９】
前記ホログラムユニットを保持するハウジングを含み、
前記遮光部材は、前記ハウジングと一体に構成されることを特徴とする請求項１〜６のいずれか１つに記載の光ピックアップ装置。
【請求項１０】
前記遮光部材の不要光案内面は、照射されたレーザ光の反射を防止するための反射防止処理によって形成されることを特徴とする請求項１〜９のいずれか１つに記載の光ピックアップ装置。
【発明の詳細な説明】
【技術分野】
【０００１】
本発明は、ＣＤ（Compact Disk）およびＤＶＤ（Digital Versatile Disk）などの光記録媒体の情報を読取り、かつ光記録媒体に情報を記録する光ディスク装置に好適に用いられる光ピックアップ装置に関する。
【背景技術】
【０００２】
従来の技術の光ヘッド装置は、回折素子に開口制限手段を設けることによって、光源から出射された光ビームが集光光学系に達する前に回折素子に入射することによって生じる往路の回折光の発生量を低減するとともに、前記往路の回折光が光記録媒体で反射されて受光素子に入射することを防止できるように構成される（たとえば、特許文献１参照）。
【０００３】
図６は、従来の技術の光ピックアップ装置１の構成を簡略化して示す図である。従来の技術の光ピックアップ装置１は、光源２、受光素子３、ホログラム素子４、ステム５、リード電極６、キャップ７、遮光アパーチャ９、コリメートレンズ１０、対物レンズ１１およびハウジング１２を含んで構成される。また、上記の光源２、受光素子３、ホログラム素子４、ステム５、リード電極６およびキャップ７によってホログラムユニット８を構成する。
【０００４】
光源２から出射されたレーザ光は、ホログラム素子４、遮光アパーチャ９、コリメートレンズ１０および対物レンズ１１を通過して、光記録媒体１３に集光する。光源２から出射され、かつ光記録媒体１３で反射されたレーザ光は、往路と同じ光経路を辿り、対物レンズ１１、コリメートレンズ１０および遮光アパーチャ９を通過してホログラム素子４に入射する。ホログラム素子４に入射した前記レーザ光は、ホログラム素子４の回折作用によって回折され、その回折方向に対応する位置に配置された受光素子３に入射する。
【０００５】
光ピックアップ装置１では、遮光アパーチャ９を設けることによって、光源２から出射されたレーザ光がコリメートレンズ１０などの光学部品によって反射される反射光、ならびに光源２から出射されたレーザ光のうち、光記録媒体に集光されないレーザ光および光源２から出射され、光記録媒体１３によって反射されるレーザ光がハウジング１２の内壁面で反射されることによって発生する迷光を遮光し、前記迷光が受光素子３に入射することを防ぐように構成される。
【０００６】
【特許文献１】特開平１０−２０８２９４号公報
【発明の開示】
【発明が解決しようとする課題】
【０００７】
従来の技術の光ピックアップ装置１は、光源２から出射されたレーザ光がコリメートレンズ１０によって反射される反射光（以下、「第１迷光」と表記する場合がある）Ｒ１を、遮光アパーチャ９によって遮光し、第１迷光Ｒ１が受光素子３に入射することを防いでいるけれども、遮光アパーチャ９を設けることによって、光源２から出射されたレーザ光が遮光アパーチャ９によって反射される反射光（以下、「第２迷光」と表記する場合がある）Ｒ２が新たに発生し、この第２迷光Ｒ２が受光素子３に入射してしまう。したがって、従来の技術の光ピックアップ装置１では、安定したフォーカス誤差信号、トラッキング誤差信号および情報信号を検出することができないという問題がある。
【０００８】
本発明の目的は、遮光アパーチャによって発生する迷光の受光素子への入射を防止することができ、安定した信号検出を行うことができる光ピックアップ装置を提供することである。
【課題を解決するための手段】
【０００９】
本発明は、予め定める波長帯域のレーザ光を出射する光源と、入射したレーザ光を回折させるホログラム素子と、前記レーザ光の光軸に垂直な方向に光源と隣接して、ホログラム素子によって回折された回折光の光経路上に配置される受光素子とを有する１または複数のホログラムユニットと、
前記ホログラムユニットのホログラム素子に対応して、ホログラム素子と光記録媒体との間の光経路上に配置され、前記レーザ光のうちで前記光源から光記録媒体に照射される照射光および光記録媒体によって反射されて受光素子によって受光される反射光以外の不要光を遮光する遮光部材とを含み、
前記遮光部材には、前記照射光および反射光以外の不要光を、前記受光素子以外の方向へ導く不要光案内面が前記光源に臨んで形成されることを特徴とする光ピックアップ装置である。
【００１０】
また本発明は、前記遮光部材の不要光案内面は、曲面であることを特徴とする。
さらに本発明は、前記遮光部材の不要光案内面は、前記レーザ光の光軸に対して垂直以外の角度をなす平面であることを特徴とする。
【００１１】
さらに本発明は、前記遮光部材の不要光案内面は、前記受光素子に向かって凹状の曲面であることを特徴とする。
【００１２】
さらに本発明は、前記遮光部材の不要光案内面は、前記受光素子に臨み、かつ前記照射光の光軸に対して垂直以外の角度をなす平面であることを特徴とする。
【００１３】
さらに本発明は、前記光源から出射されたレーザ光を光記録媒体に導くための予め定める複数の導光手段を含み、
前記導光手段は、前記ホログラム素子と光記録媒体との間の光経路上に配置され、
前記遮光部材は、前記ホログラム素子と、ホログラム素子に最隣接する導光手段との間の光経路上に配置されることを特徴とする。
【００１４】
さらに本発明は、前記遮光部材は、前記ホログラム素子に最隣接する前記導光手段と一体に構成されることを特徴とする。
【００１５】
さらに本発明は、前記遮光部材は、前記ホログラム素子と一体に構成されることを特徴とする。
【００１６】
さらに本発明は、前記ホログラムユニットを保持するハウジングを含み、
前記遮光部材は、前記ハウジングと一体に構成されることを特徴とする。
【００１７】
さらに本発明は、前記遮光部材の不要光案内面は、照射されたレーザ光の反射を防止するための反射防止処理によって形成されることを特徴とする。
【発明の効果】
【００１８】
本発明によれば、ホログラムユニットのホログラム素子に対応して、ホログラム素子と光記録媒体との間の光経路上に、光源から出射されるレーザ光のうちで光源から光記録媒体に照射される照射光および光記録媒体によって反射されて受光素子によって受光される反射光以外の不要光を遮光する遮光部材が配置される。遮光部材には、前記照射光および反射光以外の不要光を、前記受光素子以外の方向へ導く不要光案内面が光源に臨んで形成される。
【００１９】
前述のように、不要光案内面が形成された遮光部材を、ホログラム素子と光記録媒体との間の光経路上に配置することによって、光源から光記録媒体に照射される照射光および光記録媒体によって反射されて受光素子によって受光される反射光以外の不要光、たとえば光源から出射されて遮光部材の不要光案内面で反射された光を、受光素子以外の方向へ導くことができる。これによって、前記照射光および反射光以外の不要光が受光素子に入射することを確実に防止することができ、安定したフォーカス誤差信号、トラッキング誤差信号および情報信号の検出を行うことができる。
【００２０】
また本発明によれば、遮光部材の不要光案内面は、曲面である。したがって、光源から出射されるレーザ光のうちで光源から光記録媒体に照射される照射光および光記録媒体によって反射されて受光素子によって受光される反射光以外の不要光、たとえば光源から出射されて遮光部材の不要光案内面で反射された光を、受光素子以外の方向へ導くことができる。これによって、前記照射光および反射光以外の不要光が受光素子に入射することを確実に防止することができ、安定したフォーカス誤差信号、トラッキング誤差信号および情報信号の検出を行うことができる。
【００２１】
また本発明によれば、遮光部材の不要光案内面は、レーザ光の光軸に対して垂直以外の角度をなす平面である。したがって、光源から出射されるレーザ光のうちで光源から光記録媒体に照射される照射光および光記録媒体によって反射されて受光素子によって受光される反射光以外の不要光、たとえば光源から出射されて遮光部材の不要光案内面で反射された光を、受光素子以外の方向へ導くことができる。これによって、前記照射光および反射光以外の不要光が受光素子に入射することを確実に防止することができ、安定したフォーカス誤差信号、トラッキング誤差信号および情報信号の検出を行うことができる。
【００２２】
また本発明によれば、遮光部材の不要光案内面は、受光素子に向かって凹状の曲面である。したがって、光源から出射されるレーザ光のうちで光源から光記録媒体に照射される照射光および光記録媒体によって反射されて受光素子によって受光される反射光以外の不要光、たとえば光源から出射されて遮光部材の不要光案内面で反射された光を、受光素子以外の方向へ導くことができる。これによって、前記照射光および反射光以外の不要光が受光素子に入射することを確実に防止することができ、安定したフォーカス誤差信号、トラッキング誤差信号および情報信号の検出を行うことができる。
【００２３】
また本発明によれば、遮光部材の不要光案内面は、受光素子に臨み、かつ照射光の光軸に対して垂直以外の角度をなす平面である。したがって、光源から出射されるレーザ光のうちで光源から光記録媒体に照射される照射光および光記録媒体によって反射されて受光素子によって受光される反射光以外の不要光、たとえば光源から出射されて遮光部材の不要光案内面で反射された光を、受光素子以外の方向へ導くことができる。これによって、前記照射光および反射光以外の不要光が受光素子に入射することを確実に防止することができ、安定したフォーカス誤差信号、トラッキング誤差信号および情報信号の検出を行うことができる。
【００２４】
また本発明によれば、ホログラム素子と光記録媒体との間の光経路上に、光源から出射されたレーザ光を光記録媒体に導くための予め定める複数の導光手段が配置される。遮光部材は、ホログラム素子と、ホログラム素子に最隣接する導光手段との間の光経路上に配置される。このように、ホログラム素子と、ホログラム素子に最隣接する導光手段との間の光経路上に遮光部材を配置することによって、光源から出射されるレーザ光のうちで光源から光記録媒体に照射される照射光および光記録媒体によって反射されて受光素子によって受光される反射光以外の不要光、たとえば光源から出射されたレーザ光が導光手段によって反射された光を確実に遮光することができる。これによって、前記導光手段によって反射された光が受光素子に入射することを確実に防止することができ、安定したフォーカス誤差信号、トラッキング誤差信号および情報信号の検出を行うことができる。
【００２５】
また本発明によれば、遮光部材は、ホログラム素子に最隣接する前記導光手段と一体に構成される。このように、遮光部材と導光手段とを一体に構成することによって、製造時における光学部品の部品点数および組立て工程数が削減されるとともに、光軸調整などの光学的調整作業も簡素化され、光ピックアップ装置の生産性を向上することができる。また光学部品の部品点数を削減することによって、光ピックアップ装置の小型化および軽量化を図ることができるとともに、光ピックアップ装置の製造コストを低減することができる。
【００２６】
また本発明によれば、遮光部材は、前記ホログラム素子と一体に構成される。このように、遮光部材とホログラム素子とを一体に構成することによって、製造時における光学部品の部品点数および組立て工程数が削減されるとともに、光軸調整などの光学的調整作業も簡素化され、光ピックアップ装置の生産性を向上することができる。また光学部品の部品点数を削減することによって、光ピックアップ装置の小型化および軽量化を図ることができるとともに、光ピックアップ装置の製造コストを低減することができる。
【００２７】
また本発明によれば、遮光部材は、前記ハウジングと一体に構成される。このように、遮光部材とハウジングとを一体に構成することによって、製造時における光学部品の部品点数および組立て工程数が削減されるとともに、光軸調整などの光学的調整作業も簡素化され、光ピックアップ装置の生産性を向上することができる。また光学部品の部品点数を削減することによって、光ピックアップ装置の小型化および軽量化を図ることができるとともに、光ピックアップ装置の製造コストを低減することができる。
【００２８】
また本発明によれば、遮光部材の不要光案内面は、照射されたレーザ光の反射を防止するための反射防止処理によって形成されるので、光源から出射されたレーザ光は、遮光部材の不要光案内面で反射されることがない。したがって、従来技術のように、光源から出射されたレーザ光が遮光部材の不要光案内面で反射して受光素子に入射してしまうことを確実に防止することができる。これによって、安定したフォーカス誤差信号、トラッキング誤差信号および情報信号の検出を行うことができる。
【発明を実施するための最良の形態】
【００２９】
図１は、本発明の第１の実施の形態である光ピックアップ装置２１の構成を簡略化して示す図である。光ピックアップ装置２１は、図１に示すように、光源２２、受光素子２３、ホログラム素子２４、ステム２５、リード電極２６、キャップ２７、遮光アパーチャ２９、コリメートレンズ３０、対物レンズ３１およびハウジング３２を含んで構成される。本実施の形態では、上記の光源２２、受光素子２３、ホログラム素子２４、ステム２５、リード電極２６およびキャップ２７によってホログラムユニット２８を構成する。
【００３０】
光ピックアップ装置２１は、光記録媒体３３の情報記録面に記録された情報を光学的に読取る処理および光記録媒体３３の情報記録面に情報を光学的に記録する処理の少なくとも一方の処理を行う装置である。光記録媒体３３は、たとえばＣＤ（Compact Disk）、ＣＤ−Ｒ／ＲＷ（Compact Disk-Recordable/Rewritable）およびＤＶＤ（Digital Versatie Disk）である。
【００３１】
光源２２は、たとえば半導体レーザ素子によって実現される。ＤＶＤの情報記録面に記録された情報の読取りを行うときには、光源２２として、発振波長がたとえば６５４ｎｍの赤色波長のレーザ光を出射する半導体レーザ素子が用いられる。ＣＤまたはＣＤ−Ｒ／ＲＷの情報記録面に記録された情報の読取りおよび情報記録面への情報の記録を行うときには、光源２２として、発振波長がたとえば７８４ｎｍの赤外波長のレーザ光を出射する半導体レーザ素子が用いられる。
【００３２】
受光素子２３は、光源２２から出射され、光記録媒体３３の情報記録面で反射されて後述するホログラム素子２４によって回折されて入射したレーザ光を、受光した光量に応じて電気信号に変換し、電気信号に基づいてフォーカス誤差信号（略称：ＦＥＳ）、トラッキング誤差信号（略称：ＴＥＳ）および光記録媒体の情報信号（略称：ＲＦ）を検出する。受光素子２３は、たとえばフォトダイオードによって実現される。受光素子２３は、光源２２から出射され、光記録媒体３３に照射される照射光の光軸Ｌ１に垂直な方向に光源と隣接して、後述するホログラム素子２４によって回折される回折光の光経路上に配置される。
【００３３】
ホログラム素子２４は、図示しない３ビーム用回折格子およびホログラム回折格子を含む。３ビーム用回折格子は、ホログラム素子２４において光源２２から出射され、光記録媒体３３に照射される照射光の光軸Ｌ１に垂直な面でかつ光源２２に臨む面に形成される。ホログラム回折格子は、３ビーム用回折格子が形成される面と対向する面に形成される。
【００３４】
３ビーム用回折格子は、入射されるレーザ光を、回折させることによって１つのメインビームと２つのサブビームとに分割する。ホログラム回折格子は、入射されるレーザ光を回折させる回折特性を有する。このような回折特性を用いて、光源２２から出射され、光記録媒体３３の情報記録面で反射されてホログラム回折格子に入射した光を、所定の受光素子２３の方向へ回折させる。
【００３５】
光源２２および受光素子２３は、ステム２５の一方面側に配置される。リード電極２６は、ステム２５の他方面側から突出して設けられ、光源２２と電気的に接続されている。このリード電極２６を介して光源２２に駆動電圧および駆動電流が供給されると、光源２２から予め定める発振波長帯域のレーザ光が出射される。
【００３６】
キャップ２７は、光源２２および受光素子２３と外部との物理的接触を避けるために光源２２および受光素子２３を封止する封止部材であり、ステム２５の一方面側に装着される。これによって光源２２および受光素子２３は、ステム２５およびキャップ２７によって密封される。
【００３７】
遮光部材である遮光アパーチャ２９は、光源２２から出射されるレーザ光のうちで光源２２から光記録媒体３３に照射される照射光および光記録媒体３３の情報記録面で反射されて受光素子２３によって受光される反射光以外の不要光を遮光する。本実施の形態では、遮光アパーチャ２９は、ホログラム素子２４と、ホログラム素子２４に最隣接する光学部品であるコリメートレンズ３０との間の光経路上に配置される。遮光アパーチャ２９は、ポリカーボネート（略称：ＰＣ）樹脂、アクリロニトリル−ブタジエン−スチレン共重合体（略称：ＡＢＳ）樹脂およびポリフェニレンサルファイド（略称：ＰＰＳ）樹脂などによって形成される。
【００３８】
コリメートレンズ３０は、光源２２から出射され、ホログラム素子２４および遮光アパーチャ２９を通過したレーザ光を、平行光に変換して後述する対物レンズ３１へ導く。対物レンズ３１は、コリメートレンズ３０からの光を光記録媒体３３の情報記録面に集光させる。本実施の形態では、コリメートレンズ３０および対物レンズ３１は、ホログラム素子２４と光記録媒体３３との間の光経路上に配置される。本実施の形態において、コリメートレンズ３０および対物レンズ３１は、導光手段に相当する。ハウジング３２は、前記ホログラムユニット２８、コリメートレンズ３０および対物レンズ３１を保持する。
【００３９】
光ピックアップ装置２１では、光源２２から出射されるレーザ光のうちで光源２２から光記録媒体３３に照射される照射光および光記録媒体３３の情報記録面で反射されて受光素子２３によって受光される反射光以外の不要光が、ハウジング３２の内壁面およびコリメートレンズ３０などの光学部品に反射することによって、いわゆる迷光が発生する。前記迷光のうち、特に、ホログラムユニット２８のホログラム素子２４に最隣接する光学部品、本実施の形態ではコリメートレンズ３０によって反射されることによって発生する迷光（以下、「第１迷光」と表記する場合がある）Ａ１が受光素子２３に入射することによって、ＦＥＳ、ＴＥＳおよびＲＦなどの信号の検出に悪影響を及ぼす場合が多いと考えられる。そこで本実施の形態では、前述のように遮光アパーチャ２９を、ホログラムユニット２８のホログラム素子２４と、ホログラム素子２４に最隣接する光学部品であるコリメートレンズ３０との間の光経路上に配置している。
【００４０】
光ピックアップ装置２１において発生する迷光は、前記第１迷光Ａ１だけでなく、光源２２から出射されたレーザ光が、第１迷光Ａ１を遮光するために配置した遮光アパーチャ２９における前記光軸Ｌ１に垂直な面でかつ光源２２に臨む面で反射されることによっても迷光（以下、「第２迷光」と表記する場合がある）Ａ２が発生する。したがって、本実施の形態では、遮光アパーチャ２９における前記光軸Ｌ１に垂直な面でかつ光源２２に臨む面に、前記第２迷光Ａ２を受光素子２３以外の方向へ導く不要光案内面２９ａを形成している。本実施の形態における遮光アパーチャ２９の不要光案内面２９ａは、ホログラム素子２４に向かって凹状の曲面である。詳細に述べると、不要光案内面２９ａにおいて、遮光アパーチャ２９における前記光軸Ｌ１に垂直な方向（以下、「長手方向」と表記する場合がある）中央部から長手方向両端部に向かう部分は、長手方向両端部に向かうにつれて、遮光アパーチャ２９の厚み方向一方に近づくように円弧状に湾曲している。不要光案内面２９ａが形成される遮光アパーチャ２９は、たとえば射出成形によって形成される。
【００４１】
ステム２５に設けられているリード電極２６を介して、光源２２に駆動電圧および駆動電流が供給されると、光源２２から予め定める発振波長帯域のレーザ光が出射される。光源２２から出射されたレーザ光は、ホログラム素子２４の３ビーム用回折格子に入射する。３ビーム用回折格子に入射したレーザ光は、１つのメインビームと２つのサブビームとに分割される。以下の説明において、メインビームおよび各サブビームの少なくともいずれかを指すときは、単に「光」と表記する場合がある。
【００４２】
３ビーム用回折格子を通過した光は、ホログラム素子２４のホログラム回折格子に入射する。ホログラム回折格子に入射した光は、所定の回折方向に回折される。ホログラム素子２４を通過した光は、遮光アパーチャ２９を通過してコリメートレンズ３０に入射する。コリメートレンズ３０に入射した光は、平行光にされる。コリメートレンズ３０によって平行光にされた光は、対物レンズ３１に入射する。対物レンズ３１は、入射した光を、光記録媒体３３の情報記録面に集光させる。
【００４３】
光記録媒体３３の情報記録面で反射された光は、往路と同じ光経路を辿る。光記録媒体３３の情報記録面で反射された光は、対物レンズ３１へ入射して平行光となり、コリメートレンズ３０、遮光アパーチャ２９を通過してホログラム素子２４のホログラム回折格子に入射する。ホログラム回折格子に入射した前記光記録媒体３３の情報記録面で反射された光は、回折されて受光素子２４に入射する。
【００４４】
本実施の形態によれば、遮光アパーチャ２９を、ホログラム素子２４と、ホログラム素子２４に最隣接する光学部品であるコリメートレンズ３０との間の光経路上に配置しているので、光源２２から出射され、たとえばコリメートレンズ３０によって反射されることによって発生する前記第１迷光Ａ１は、遮光アパーチャ２９によって遮光される。したがって、前記第１迷光Ａ１が受光素子２３へ入射することを確実に防止することができ、安定したフォーカス誤差信号、トラッキング誤差信号および情報信号の検出を行うことができる。
【００４５】
さらに本実施の形態では、遮光アパーチャ２９における前記光軸Ｌ１に垂直な面でかつ光源２２に臨む面に、凹状の曲面である不要光案内面２９ａを形成しているので、光源２２から出射され、前記不要光案内面２９ａで反射されることによって発生する第２迷光Ａ２を、受光素子２３以外の方向へ導くことができる。これによって、前記第２迷光Ａ２が受光素子２３に入射することを確実に防止することができ、安定したフォーカス誤差信号、トラッキング誤差信号および情報信号の検出を行うことができる。
【００４６】
また、遮光アパーチャ２９の不要光案内面２９ａが粗いために散乱光が発生する場合を考慮して、前記散乱光の発生を防止するために、前記不要光案内面２９ａを反射防止処理によって形成してもよい。反射防止処理としては、たとえば遮光アパーチャ２９の光源２２に臨む面に反射防止膜を形成する場合と、遮光アパーチャ２９の光源２２に臨む面に表面加工を施す場合とがある。
【００４７】
反射防止膜を形成する場合には、遮光アパーチャ２９の光源２２に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【００４８】
不要光案内面２９ａを、前述の反射防止処理によって形成することによって、光源２２から出射されたレーザ光は、不要光案内面２９ａで反射されずに吸収されるので、散乱光が発生することを防止することができる。したがって、前記散乱光が受光素子２３に入射することを防止することができ、安定したフォーカス誤差信号、トラッキング誤差信号および情報信号の検出を行うことができる。
【００４９】
図２は、本発明の第２の実施の形態である光ピックアップ装置４１の構成を簡略化して示す図である。本実施の形態は、第１の実施の形態と類似しているので、対応する部分については同一の参照符を付して、説明を省略する。遮光部材である遮光アパーチャ４２は、光源２２から出射されるレーザ光のうちで光源２２から光記録媒体３３に照射される照射光および光記録媒体３３の情報記録面で反射されて受光素子２３によって受光される反射光以外の不要光を遮光する。本実施の形態では、遮光アパーチャ４２は、ホログラム素子２４と、ホログラム素子２４に最隣接する光学部品であるコリメートレンズ３０との間の光経路上に配置される。
【００５０】
光ピックアップ装置４１では、光ピックアップ装置２１と同様に、光源２２から出射されるレーザ光のうちで光源２２から光記録媒体３３に照射される照射光および光記録媒体３３の情報記録面で反射されて受光素子２３によって受光される反射光以外の不要光が、ハウジング３２の内壁面およびコリメートレンズ３０などの光学部品に反射することによって、いわゆる迷光が発生する。前記迷光のうち、特に、ホログラムユニット２８のホログラム素子２４に最隣接する光学部品、本実施の形態ではコリメートレンズ３０によって反射されることによって発生する迷光（以下、「第１迷光」と表記する場合がある）Ａ１が受光素子２３に入射することによって、ＦＥＳ、ＴＥＳおよびＲＦなどの信号の検出に悪影響を及ぼす場合が多いと考えられる。そこで本実施の形態では、第１の実施の形態と同様に、遮光アパーチャ４２を、ホログラムユニット２８のホログラム素子２４と、ホログラム素子２４に最隣接する光学部品であるコリメートレンズ３０との間の光経路上に配置している。
【００５１】
遮光アパーチャ４２は、ポリカーボネート（略称：ＰＣ）樹脂、アクリロニトリル−ブタジエン−スチレン共重合体（略称：ＡＢＳ）樹脂およびポリフェニレンサルファイド（略称：ＰＰＳ）樹脂などによって形成される。
【００５２】
光ピックアップ装置４１において発生する迷光は、前記第１迷光Ａ１だけでなく、光源２２から出射されたレーザ光が、第１迷光Ａ１を遮光するために配置した遮光アパーチャ４２における前記光軸Ｌ１に垂直な面でかつ光源２２に臨む面で反射されることによっても迷光（以下、「第２迷光」と表記する場合がある）Ａ２が発生する。したがって、本実施の形態では、遮光アパーチャ４２における前記光軸Ｌ１に垂直な面でかつ光源２２に臨む面に、前記第２迷光Ａ２を、受光素子２３以外の方向へ導く不要光案内面４２ａを形成している。本実施の形態における遮光アパーチャ４２の不要光案内面４２ａは、光源２２から出射され、光記録媒体３３に照射される照射光の光軸Ｌ１に対して垂直以外の角度をなす平面である。詳細に述べると、不要光案内面４２ａにおいて、遮光アパーチャ４２における前記光軸Ｌ１に垂直な方向（以下、「長手方向」と表記する場合がある）一端部から他端部に向かう部分は、長手方向一端部から長手方向他端部に向かうにつれて、遮光アパーチャ４２の厚み方向他方に近づくように傾斜している。不要光案内面４２ａが形成される遮光アパーチャ４２は、たとえば射出成形によって形成される。
【００５３】
本実施の形態によれば、遮光アパーチャ４２を、ホログラム素子２４と、ホログラム素子２４に最隣接する光学部品であるコリメートレンズ３０との間の光経路上に配置しているので、光源２２から出射され、たとえばコリメートレンズ３０によって反射されることによって発生する前記第１迷光Ａ１は、遮光アパーチャ４２によって遮光される。したがって、前記第１迷光Ａ１が受光素子２３へ入射することを確実に防止することができ、安定したフォーカス誤差信号、トラッキング誤差信号および情報信号の検出を行うことができる。
【００５４】
さらに、本実施の形態では、遮光アパーチャ４２における前記光軸Ｌ１に垂直な面でかつ光源２２に臨む面に、前記照射光の光軸Ｌ１に対して垂直以外の角度をなす平面状の不要光案内面４２ａを形成しているので、光源２２から出射され、前記不要光案内面４２ａで反射されることによって発生する第２迷光Ａ２を、受光素子２３以外の方向へ導くことができる。これによって、前記第２迷光Ａ２が受光素子２３に入射することを防止することができ、安定したフォーカス誤差信号、トラッキング誤差信号および情報信号の検出を行うことができる。
【００５５】
また、遮光アパーチャ４２の不要光案内面４２ａが粗いために散乱光が発生する場合を考慮して、前記散乱光の発生を防止するために、前記不要光案内面４２ａを反射防止処理によって形成してもよい。反射防止処理としては、たとえば遮光アパーチャ４２の光源２２に臨む面に反射防止膜を形成する場合と、遮光アパーチャ４２の光源２２に臨む面に表面加工を施す場合とがある。
【００５６】
反射防止膜を形成する場合には、遮光アパーチャ４２の光源２２に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【００５７】
不要光案内面４２ａを、前述の反射防止処理によって形成することによって、光源２２から出射されたレーザ光は、不要光案内面４２ａで反射されずに吸収されるので、散乱光が発生することを防止することができる。したがって、前記散乱光が受光素子２３に入射することを防止することができ、安定したフォーカス誤差信号、トラッキング誤差信号および情報信号の検出を行うことができる。
【００５８】
図３は、本発明の第３の実施の形態である光ピックアップ装置５１の構成を簡略化して示す図である。本実施の形態は、第１の実施の形態と類似しているので、対応する部分については同一の参照符を付して、説明を省略する。遮光部材である遮光アパーチャ５２は、光源２２から出射されるレーザ光のうちで光源２２から光記録媒体３３に照射される照射光および光記録媒体３３の情報記録面で反射されて受光素子２３によって受光される反射光以外の不要光を遮光する。本実施の形態では、遮光アパーチャ５２は、ホログラム素子２４と、ホログラム素子２４に最隣接する光学部品であるコリメートレンズ３０との間の光経路上に配置される。
【００５９】
光ピックアップ装置５１では、光ピックアップ装置２１と同様に、光源２２から出射されるレーザ光のうちで光源２２から光記録媒体３３に照射される照射光および光記録媒体３３の情報記録面で反射されて受光素子２３によって受光される反射光以外の不要光が、ハウジング３２の内壁面およびコリメートレンズ３０などの光学部品に反射することによって、いわゆる迷光が発生する。前記迷光のうち、特に、ホログラムユニット２８のホログラム素子２４に最隣接する光学部品、本実施の形態ではコリメートレンズ３０によって反射されることによって発生する迷光（以下、「第１迷光」と表記する場合がある）Ａ１が受光素子２３に入射することによって、ＦＥＳ、ＴＥＳおよびＲＦなどの信号の検出に悪影響を及ぼす場合が多いと考えられる。そこで本実施の形態では、第１および第２の実施の形態と同様に、遮光アパーチャ５２を、ホログラムユニット２８のホログラム素子２４と、ホログラム素子２４に最隣接する光学部品であるコリメートレンズ３０との間の光経路上に配置している。
【００６０】
遮光アパーチャ５２は、ポリカーボネート（略称：ＰＣ）樹脂、アクリロニトリル−ブタジエン−スチレン共重合体（略称：ＡＢＳ）樹脂およびポリフェニレンサルファイド（略称：ＰＰＳ）樹脂などによって形成される。
【００６１】
光ピックアップ装置５１において発生する迷光は、前記第１迷光Ａ１だけでなく、光源２２から出射されたレーザ光が、第１迷光Ａ１を遮光するために配置した遮光アパーチャ５２における前記光軸Ｌ１に垂直な面でかつ光源２２に臨む面で反射されることによっても迷光（以下、「第２迷光」と表記する場合がある）Ａ２が発生する。したがって、本実施の形態では、遮光アパーチャ５２における前記光軸Ｌ１に垂直な面でかつ光源２２に臨む面に、前記第２迷光Ａ２を、受光素子２３以外の方向へ導く不要光案内面５２ａを形成している。本実施の形態における遮光アパーチャ５２の不要光案内面５２ａは、受光素子２３に向かって凹状の曲面である。詳細に述べると、不要光案内面５２ａにおいて、遮光アパーチャ５２における前記光軸Ｌ１に垂直な方向（以下、「長手方向」と表記する場合がある）中央部から長手方向一端部に向かう部分は、長手方向一端部に向かうにつれて、遮光アパーチャ５２の厚み方向一方に近づくように円弧状に湾曲している。不要光案内面５２ａが形成される遮光アパーチャ５２は、たとえば射出成形によって形成される。
【００６２】
本実施の形態によれば、遮光アパーチャ５２を、ホログラム素子２４と、ホログラム素子２４に最隣接する光学部品であるコリメートレンズ３０との間の光経路上に配置しているので、光源２２から出射され、たとえばコリメートレンズ３０によって反射されることによって発生する前記第１迷光Ａ１は、遮光アパーチャ５２によって遮光される。したがって、前記第１迷光Ａ１が受光素子２３へ入射することを確実に防止することができ、安定したフォーカス誤差信号、トラッキング誤差信号および情報信号の検出を行うことができる。
【００６３】
さらに、本実施の形態では、遮光アパーチャ５２における前記光軸Ｌ１に垂直な面のうち光源２２に臨む面には、受光素子２３に向かって凹状の曲面である不要光案内面５２ａを形成しているので、光源２２から出射され、前記不要光案内面５２ａで反射されることによって発生する第２迷光Ａ２を、受光素子２３以外の方向へ導くことができる。これによって、前記第２迷光Ａ２が受光素子２３に入射することを防止することができ、安定したフォーカス誤差信号、トラッキング誤差信号および情報信号の検出を行うことができる。
【００６４】
また、遮光アパーチャ５２の不要光案内面５２ａが粗いために散乱光が発生する場合を考慮して、前記散乱光の発生を防止するために、前記不要光案内面５２ａを反射防止処理によって形成してもよい。反射防止処理としては、たとえば遮光アパーチャ５２の光源２２に臨む面に反射防止膜を形成する場合と、遮光アパーチャ５２の光源２２に臨む面に表面加工を施す場合とがある。
【００６５】
反射防止膜を形成する場合には、遮光アパーチャ５２の光源２２に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【００６６】
不要光案内面５２ａを、前述の反射防止処理によって形成することによって、光源２２から出射されたレーザ光は、不要光案内面５２ａで反射されずに吸収されるので、散乱光が発生することを防止することができる。したがって、前記散乱光が受光素子２３に入射することを防止することができ、安定したフォーカス誤差信号、トラッキング誤差信号および情報信号の検出を行うことができる。
【００６７】
図４は、本発明の第４の実施の形態である光ピックアップ装置６１の構成を簡略化して示す図である。本実施の形態は、第１の実施の形態と類似しているので、対応する部分については同一の参照符を付して、説明を省略する。遮光部材である遮光アパーチャ６２は、光源２２から出射されるレーザ光のうちで光源２２から光記録媒体３３に照射される照射光および光記録媒体３３の情報記録面で反射されて受光素子２３によって受光される反射光以外の不要光を遮光する。本実施の形態では、遮光アパーチャ６２は、ホログラム素子２４と、ホログラム素子２４に最隣接する光学部品であるコリメートレンズ３０との間の光経路上に配置される。
【００６８】
光ピックアップ装置６１では、光ピックアップ装置２１と同様に、光源２２から出射されるレーザ光のうちで光源２２から光記録媒体３３に照射される照射光および光記録媒体３３の情報記録面で反射されて受光素子２３によって受光される反射光以外の不要光が、ハウジング３２の内壁面およびコリメートレンズ３０などの光学部品に反射することによって、いわゆる迷光が発生する。前記迷光のうち、特に、ホログラムユニット２８のホログラム素子２４に最隣接する光学部品、本実施の形態ではコリメートレンズ３０によって反射されることによって発生する迷光（以下、「第１迷光」と表記する場合がある）Ａ１が受光素子２３に入射することによって、ＦＥＳ、ＴＥＳおよびＲＦなどの信号の検出に悪影響を及ぼす場合が多いと考えられる。そこで本実施の形態では、第１〜第３の実施の形態と同様に、遮光アパーチャ６２を、ホログラムユニット２８のホログラム素子２４と、ホログラム素子２４に最隣接する光学部品であるコリメートレンズ３０との間の光経路上に配置している。
【００６９】
遮光アパーチャ６２は、ポリカーボネート（略称：ＰＣ）樹脂、アクリロニトリル−ブタジエン−スチレン共重合体（略称：ＡＢＳ）樹脂およびポリフェニレンサルファイド（略称：ＰＰＳ）樹脂などによって形成される。
【００７０】
光ピックアップ装置６１において発生する迷光は、前記第１迷光Ａ１だけでなく、光源２２から出射されたレーザ光が、第１迷光Ａ１を遮光するために配置した遮光アパーチャ６２における前記光軸Ｌ１に垂直な面でかつ光源２２に臨む面で反射されることによっても迷光（以下、「第２迷光」と表記する場合がある）Ａ２が発生する。したがって、本実施の形態では、遮光アパーチャ６２における前記光軸Ｌ１に垂直な面でかつ光源２２に臨む面に、前記第２迷光Ａ２を、受光素子２３以外の方向へ導く不要光案内面６２ａを形成している。本実施の形態における遮光アパーチャ６２の不要光案内面６２ａは、受光素子２３に臨み、かつ光源２２から光記録媒体３３に照射される照射光の光軸Ｌ１に対して垂直以外の角度をなす平面である。詳細に述べると、不要光案内面６２ａにおいて、遮光アパーチャ６２における前記光軸のＬ１に垂直な方向（以下、「長手方向」と表記する場合がある）一端部から他端部に向かう部分は、長手方向一端部から長手方向他端部に向かうにつれて、遮光アパーチャ６２の厚み方向他方に近づくように傾斜している。不要光案内面６２ａが形成される遮光アパーチャ６２は、たとえば射出成形によって形成される。
【００７１】
本実施の形態によれば、遮光アパーチャ６２を、ホログラム素子２４と、ホログラム素子２４に最隣接する光学部品であるコリメートレンズ３０との間の光経路上に配置しているので、光源２２から出射され、たとえばコリメートレンズ３０によって反射されることによって発生する前記第１迷光Ａ１は、遮光アパーチャ６２によって遮光される。したがって、前記第１迷光Ａ１が受光素子２３へ入射することを確実に防止することができ、安定したフォーカス誤差信号、トラッキング誤差信号および情報信号の検出を行うことができる。
【００７２】
さらに、本実施の形態では、遮光アパーチャ６２における前記光軸Ｌ１に垂直な面でかつ光源２２に臨む面に、前記照射光の光軸Ｌ１に対して垂直以外の角度をなす平面状の不要光案内面６２ａを形成しているので、光源２２から出射され、前記不要光案内面６２ａで反射されることによって発生する第２迷光Ａ２を、受光素子２３以外の方向へ導くことができる。これによって、前記第２迷光Ａ２が受光素子２３に入射することを防止することができ、安定したフォーカス誤差信号、トラッキング誤差信号および情報信号の検出を行うことができる。
【００７３】
また、遮光アパーチャ６２の不要光案内面６２ａが粗いために散乱光が発生する場合を考慮して、前記散乱光の発生を防止するために、前記不要光案内面６２ａを反射防止処理によって形成してもよい。反射防止処理としては、たとえば遮光アパーチャ６２の光源２２に臨む面に反射防止膜を形成する場合と、遮光アパーチャ６２の光源２２に臨む面に表面加工を施す場合とがある。
【００７４】
反射防止膜を形成する場合には、遮光アパーチャ６２の光源２２に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【００７５】
不要光案内面６２ａを、前述の反射防止処理によって形成することによって、光源２２から出射されたレーザ光は、不要光案内面６２ａで反射されずに吸収されるので、散乱光が発生することを防止することができる。したがって、前記散乱光が受光素子２３に入射することを防止することができ、安定したフォーカス誤差信号、トラッキング誤差信号および情報信号の検出を行うことができる。
【００７６】
前述の第１〜第４の実施の形態では、遮光アパーチャ２９，４２，５２，６２と、ホログラムユニット２８のホログラム素子２４に最隣接する光学部品であるコリメートレンズ３０とを一体に構成してもよい。たとえば、前記コリメートレンズ３０をハウジング３２に設置するときに用いられる図示しないレンズホルダに遮光アパーチャ２９，４２，５２，６２を形成し、遮光アパーチャ２９，４２，５２，６２が形成されたレンズホルダとコリメートレンズ３０とを一体化してハウジング３２に設置するようにする。
【００７７】
前述のように、遮光アパーチャ２９，４２，５２，６２と、ホログラムユニット２８のホログラム素子２４に最隣接する光学部品であるコリメートレンズ３０とが一体に構成することによって、製造時における光学部品の部品点数および組立て工程数が削減されるとともに、光軸調整などの光学的調整作業も簡素化され、光ピックアップ装置２１，４１，５１，６１の生産性を向上することができる。
【００７８】
また前述の第１〜第４の実施の形態では、遮光アパーチャ２９，４２，５２，６２と、ホログラムユニット２８のホログラム素子２４とを一体に構成してもよい。光ピックアップ装置２１，４１，５１，６１を組立てるときは、ホログラムユニット２８の光軸調整などの光学的調整作業を行う必要がある。ホログラムユニット２８の光学的調整作業は、ホログラムユニット２８を、ホログラムユニット２８を保持するためのホログラムユニット用ホルダに嵌め込み、このホログラムユニット用ホルダを掴みながら行う。そこで、前記ホログラムユニット用ホルダに遮光アパーチャ２９，４２，５２，６２を形成し、遮光アパーチャ２９，４２，５２，６２が形成されたホログラムユニット用ホルダに前記ホログラムユニット２８を嵌め込むことによって、遮光アパーチャ２９，４２，５２，６２と、ホログラムユニット２８のホログラム素子２４とを一体化する。
【００７９】
前述のように、遮光アパーチャ２９，４２，５２，６２と、ホログラムユニット２８のホログラム素子２４とが一体に構成することによって、製造時における光学部品の部品点数および組立て工程数が削減されるとともに、光軸調整などの光学的調整作業も簡素化され、光ピックアップ装置２１，４１，５１，６１の生産性を向上することができる。
【００８０】
さらに前述の第１〜第４の実施の形態では、遮光アパーチャ２９，４２，５２，６２と、ハウジング３２とを一体に構成してもよい。遮光アパーチャ２９，４２，５２，６２と、ハウジング３２とを一体に構成することによって、製造時における光学部品の部品点数および組立て工程数が削減されるとともに、光軸調整などの光学的調整作業も簡素化され、光ピックアップ装置２１，４１，５１，６１の生産性を向上することができる。
【００８１】
また前述のように、光学部品の部品点数を削減することによって、光ピックアップ装置２１，４１，５１，６１の小型化および軽量化を図ることができるとともに、光ピックアップ装置２１，４１，５１，６１の製造コストを低減することができる。
【００８２】
図５は、本発明の第５の実施の形態である光ピックアップ装置７１の構成を示す図である。光ピックアップ装置７１は、図５に示すように、第１光源７２、第１受光素子７３、第１ホログラム素子７４、第１ステム７５、第１リード電極７６、第１キャップ７７、第１遮光アパーチャ７９、第２光源８１、第２受光素子８２、第２ホログラム素子８３、第２ステム８４、第２リード電極８５、第２キャップ８６、第２遮光アパーチャ８８、ビームスプリッタ９０、コリメートレンズ９１、対物レンズ９２およびハウジング９３を含んで構成される。
【００８３】
本実施の形態では、上記の第１光源７２、第１受光素子７３、第１ホログラム素子７４、第１ステム７５、第１リード電極７６および第１キャップ７７によって第１ホログラムユニット７８を構成し、上記の第２光源８１、第２受光素子８２、第２ホログラム素子８３、第２ステム８４、第２リード電極８５および第２キャップ８６によって第２ホログラムユニット８７を構成する。
【００８４】
第１光源７２および第２光源８１は、たとえば半導体レーザ素子によって実現される。第１光源７２から出射されるレーザ光の発振波長帯域と、第２光源８１から出射されるレーザ光の発振波長帯域とは異なる。第１光源７２は、たとえばＤＶＤの情報記録面に記録された情報の読取りを行うために、発振波長がたとえば６５４ｎｍの赤色波長のレーザ光を出射する半導体レーザ素子によって実現される。第２光源８１は、たとえばＣＤまたはＣＤ−Ｒ／ＲＷの情報記録面に記録された情報の読取りおよび情報記録面への情報の記録を行うために、発振波長がたとえば７８４ｎｍの赤外波長のレーザ光を出射する半導体レーザ素子によって実現される。
【００８５】
第１受光素子７３は、第１光源７２から出射され、光記録媒体９４の情報記録面で反射されて後述する第１ホログラム素子７４によって回折されて入射したレーザ光を、受光した光量に応じて電気信号に変換し、電気信号に基づいてフォーカス誤差信号（略称：ＦＥＳ）、トラッキング誤差信号（略称：ＴＥＳ）および光記録媒体の情報信号（略称：ＲＦ）を検出する。第１受光素子７３は、第１光源７２から出射され、光記録媒体９４に照射される照射光の光軸（以下、単に「第１光軸」と表記する場合がある）Ｌ１１に垂直な方向に第１光源７２と隣接して、後述する第１ホログラム素子７４によって回折される回折光の光経路上に配置される。
【００８６】
第２受光素子８２は、第２光源８１から出射され、光記録媒体９４の情報記録面で反射されて後述する第２ホログラム素子８３によって回折されて入射したレーザ光を、受光した光量に応じて電気信号に変換し、電気信号に基づいてＦＥＳ、ＴＥＳおよびＲＦなどの信号を検出する。第２受光素子８２は、第２光源８１から出射され、光記録媒体９４に照射される照射光の光軸（以下、単に「第２光軸」と表記する場合がある）Ｌ２２に垂直な方向に第２光源８１と隣接して、後述する第２ホログラム素子８３によって回折される回折光の光経路上に配置される。第１および第２受光素子７３，８２は、たとえばフォトダイオードによって実現される。
【００８７】
第１および第２ホログラム素子７４，８３は、図示しない３ビーム用回折格子およびホログラム回折格子を含む。第１ホログラム素子７４の３ビーム用回折格子は、第１ホログラム素子７４における第１光軸Ｌ１１に垂直な面でかつ第１光源７２に臨む面に形成される。第１ホログラム素子７４のホログラム回折格子は、前記３ビーム用回折格子が形成される面と対向する面に形成される。第２ホログラム素子８３の３ビーム用回折格子は、第２ホログラム素子８３における第２光軸Ｌ２２に垂直な面でかつ第２光源８１に臨む面に形成される。第２ホログラム素子８３のホログラム回折格子は、前記３ビーム用回折格子が形成される面と対向する面に形成される。
【００８８】
３ビーム用回折格子は、入射されるレーザ光を、回折させることによって１つのメインビームと２つのサブビームとに分割する。ホログラム回折格子は、入射されるレーザ光を回折させる回折特性を有する。第１ホログラム素子７４のホログラム回折格子は、第１光源７２から出射され、光記録媒体９４の情報記録面で反射されて入射した光を所定の第１受光素子７３の方向へ回折させ、第２ホログラム素子８３のホログラム回折格子は、第２光源８１から出射され、光記録媒体９４の情報記録面で反射されて入射した光を所定の第２受光素子８２の方向へ回折させる。
【００８９】
第１光源７２および第１受光素子７３は、第１ステム７５の一方面側に配置され、第２光源８１および第２受光素子８２は、第２ステム８４の一方面側に配置される。第１リード電極７６は、第１ステム７５の他方面側から突出して設けられ、第１光源７２と電気的に接続されている。第２リード電極８５は、第２ステム８４の多方面側から突出して設けられ、第２光源８１と電気的に接続されている。前記第１リード電極７６を介して第１光源７２に駆動電圧および駆動電流が供給されると、第１光源７２から赤色波長のレーザ光が出射される。前記第２リード電極８５を介して第２光源８１に駆動電圧および駆動電流が供給されると、第２光源８１から赤外波長のレーザ光が出射される。
【００９０】
第１キャップ７７は、第１光源７２および第１受光素子７３と外部との物理的接触を避けるために第１光源７２および第１受光素子７３を封止する封止部材であり、第１ステム７５の一方面側に装着される。これによって第１光源７２および第１受光素子７３は、第１ステム７５および第１キャップ７７によって密封される。第２キャップ８６は、第２光源８１および第２受光素子８２と外部との物理的接触を避けるために第２光源８１および第２受光素子８２を封止する封止部材であり、第２ステム８４の一方面側に装着される。これによって第２光源８１および第２受光素子８２は、第２ステム８４および第２キャップ８６によって密封される。
【００９１】
遮光部材である第１遮光アパーチャ７９は、第１光源７２から出射されるレーザ光のうちで第１光源７２から光記録媒体９４に照射される照射光および光記録媒体９４の情報記録面で反射されて第１受光素子７３によって受光される反射光以外の不要光を遮光する。ビームスプリッタ９０は、一方から入射する光を透過し、他方から入射する光を反射角９０度で全反射する。本実施の形態では、第１遮光アパーチャ７９は、第１ホログラム素子７４と、第１ホログラム素子７４に最隣接する光学部品であるビームスプリッタ９０との間の光経路上に配置される。
【００９２】
遮光部材である第２遮光アパーチャ８８は、第２光源８１から出射されるレーザ光のうちで第２光源８１から光記録媒体９４に照射される照射光および光記録媒体９４の情報記録面で反射されて第２受光素子８１によって受光される反射光以外の不要光を遮光する。本実施の形態では、第２遮光アパーチャ８８は、第２ホログラム素子８３と、第２ホログラム素子８３に最隣接する光学部品であるビームスプリッタ９０との間の光経路上に配置される。
【００９３】
第１および第２遮光アパーチャ７９，８８は、ポリカーボネート（略称：ＰＣ）樹脂、アクリロニトリル−ブタジエン−スチレン共重合体（略称：ＡＢＳ）樹脂およびポリフェニレンサルファイド（略称：ＰＰＳ）樹脂などによって形成される。
【００９４】
コリメートレンズ９１は、第１光源７２から出射され、第１ホログラム素子７４、第１遮光アパーチャ７９およびビームスプリッタ９０を通過したレーザ光、ならびに第２光源８１から出射され、第２ホログラム素子８３、第２遮光アパーチャ８８およびビームスプリッタ９０を通過したレーザ光を、平行光に変換して後述する対物レンズ９２へ導く。対物レンズ９２は、ビームスプリッタ９０からの光を光記録媒体９４の情報記録面に集光させる。本実施の形態では、ビームスプリッタ９０、コリメートレンズ９１および対物レンズ９２は、第１光軸Ｌ１１方向に延びる光経路上でかつ第１ホログラム素子７４と光記録媒体９４との間の光経路上にそれぞれ配置される。本実施の形態において、ビームスプリッタ９０、コリメートレンズ９１および対物レンズ９２は、導光手段に相当する。ハウジング９３は、前記第１および第２ホログラムユニット７８，８７、ビームスプリッタ９０、コリメートレンズ９１および対物レンズ９２を保持する。
【００９５】
光ピックアップ装置７１では、第１光源７２から出射されるレーザ光のうちで第１光源７２から光記録媒体９４に照射される照射光および光記録媒体９４の情報記録面で反射されて第１受光素子７３によって受光される反射光以外の不要光、ならびに第２光源８１から出射されるレーザ光のうちで第２光源８１から光記録媒体９４に照射される照射光および光記録媒体９４の情報記録面で反射されて第２受光素子８２によって受光される反射光以外の不要光が、ハウジング９３の内壁面およびビームスプリッタ９０などの光学部品に反射することによって、いわゆる迷光が発生する。
【００９６】
前記迷光のうち、特に、第１ホログラムユニット７８のホログラム素子７４に最隣接する光学部品、本実施の形態ではビームスプリッタ９０によって反射されることによって発生する迷光（以下、「第１迷光」と表記する場合がある）Ｂ１が第１受光素子に入射することによって、ＦＥＳ、ＴＥＳおよびＲＦなどの信号の検出に悪影響を及ぼす場合、ならびに第２ホログラムユニット８７のホログラム素子８３に最隣接する光学部品、本実施の形態ではビームスプリッタ９０によって反射されることによって発生する迷光（以下、「第３迷光」と表記する場合がある）Ｂ３が第２受光素子８２に入射することによって、ＦＥＳ、ＴＥＳおよびＲＦなどの信号の検出に悪影響を及ぼす場合が多いと考えられる。
【００９７】
そこで本実施の形態では、第１遮光アパーチャ７９を、第１ホログラムユニット７８の第１ホログラム素子７４と、第１ホログラム素子７４に最隣接する光学部品であるビームスプリッタ９０との間の光経路上に配置し、第２遮光アパーチャ８８を、第２ホログラムユニット８７の第２ホログラム素子８３と、第２ホログラム素子８３に最隣接する光学部品であるビームスプリッタ９０との間の光経路上に配置している。
【００９８】
光ピックアップ装置７１において発生する迷光には、前記第１および第３迷光Ｂ１，Ｂ３だけでなく、第１光源７２から出射されたレーザ光が、第１迷光Ｂ１を遮光するために配置した第１遮光アパーチャ７９における第１光軸Ｌ１１方向に垂直な面でかつ第１光源７２に臨む面で反射されることによって発生する迷光（以下、「第２迷光」と表記する場合がある）Ｂ２、ならびに第２光源８１から出射されたレーザ光が、第３迷光Ｂ３を遮光するために配置した第２遮光アパーチャ８８における第２光軸Ｌ２２に垂直な面でかつ第２光源８１に臨む面で反射されることによって発生する迷光（以下、「第４迷光」と表記する場合がある）Ｂ４がある。
【００９９】
そこで本実施の形態では、第１遮光アパーチャ７９における第１光軸Ｌ１１方向に垂直な面でかつ第１光源７２に臨む面に、前記第２迷光Ｂ２を、第１受光素子７３以外の方向へ導く第１不要光案内面７９ａを形成している。本実施の形態における第１遮光アパーチャ７９の第１不要光案内面７９ａは、凹状の曲面である。詳細に述べると、第１不要光案内面７９ａにおいて、第１遮光アパーチャ７９における第１光軸Ｌ１１に垂直な方向（以下、「長手方向」と表記する場合がある）中央部から長手方向両端部に向かう部分は、長手方向両端部に向かうにつれて、第１遮光アパーチャ７９の厚み方向一方に近づくように円弧状に湾曲している。不要光案内面７９ａが形成される第１遮光アパーチャ７９は、たとえば射出成形によって形成される。
【０１００】
また本実施の形態では、第２遮光アパーチャ８８における第２光軸Ｌ２２に垂直な面でかつ第２光源８１に臨む面に、前記第４迷光Ｂ４を、第２受光素子８２以外の方向へ導く第２不要光案内面８８ａを形成している。本実施の形態における第２遮光アパーチャ８８の第２不要光案内面８８ａは、凹状の曲面である。詳細に述べると、第２不要光案内面８８ａにおいて、第２遮光アパーチャ８８における第２光軸Ｌ２２に垂直な方向（以下、「長手方向」と表記する場合がある）中央部から長手方向両端部に向かう部分は、長手方向両端部に向かうにつれて、第２遮光アパーチャ８８の厚み方向一方に近づくように円弧状に湾曲している。不要光案内面８８ａが形成される第２遮光アパーチャ８８は、たとえば射出成形によって形成される。
【０１０１】
第１ステム７５に設けられている第１リード電極７６を介して、第１光源７２に駆動電圧および駆動電流が供給されると、第１光源７２から赤色波長のレーザ光が出射される。第１光源７２から出射されたレーザ光は、第１ホログラム素子７４の３ビーム用回折格子に入射する。３ビーム用回折格子に入射したレーザ光は、１つのメインビームと２つのサブビームとに分割される。以下の説明において、メインビームおよび各サブビームの少なくともいずれかを指すときは、単に「光」と表記する場合がある。
【０１０２】
３ビーム用回折格子を通過した光は、第１ホログラム素子７４のホログラム回折格子に入射する。ホログラム回折格子に入射した光は、所定の回折方向に回折される。第１ホログラム素子７４を通過した光は、第１遮光アパーチャ７９およびビームスプリッタ９０を通過してコリメートレンズ９１に入射する。コリメートレンズ９１に入射した光は、平行光に変換される。コリメートレンズ９１によって平行光に変換された光は、対物レンズ９２に入射する。対物レンズ９２は、入射した光を、光記録媒体９４の情報記録面に集光させる。
【０１０３】
第１光源７２から光記録媒体９４に照射され、光記録媒体９４の情報記録面で反射された光は、往路と同じ光経路を辿る。光記録媒体９４の情報記録面で反射された光は、対物レンズ９２へ入射して平行光に変換され、コリメートレンズ９１、ビームスプリッタ９０、第１遮光アパーチャ７９を通過して第１ホログラム素子７４のホログラム回折格子に入射する。ホログラム回折格子に入射した前記光記録媒体９４の情報記録面で反射された光は、回折されて第１受光素子７４に入射する。
【０１０４】
第２ステム８４に設けられている第２リード電極８５を介して、第２光源８１に駆動電圧および駆動電流が供給されると、第２光源８１から赤外波長のレーザ光が出射される。第２光源８１から出射されたレーザ光は、第２ホログラム素子８３の３ビーム用回折格子に入射する。３ビーム用回折格子に入射したレーザ光は、１つのメインビームと２つのサブビームとに分割される。
【０１０５】
３ビーム用回折格子を通過した光は、第２ホログラム素子８３のホログラム回折格子に入射する。ホログラム回折格子に入射した光は、所定の回折方向に回折される。第２ホログラム素子８３を通過した光は、第２遮光アパーチャ８８を通過して、ビームスプリッタ９０によって９０度屈曲されてコリメートレンズ９１に入射する。コリメートレンズ９１に入射した光は、平行光に変換される。コリメートレンズ９１によって平行光に変換された光は、対物レンズ９２に入射する。対物レンズ９２は、入射した光を、光記録媒体９４の情報記録面に集光させる。
【０１０６】
第２光源８１から光記録媒体９４に照射され、光記録媒体９４の情報記録面で反射された光は、往路と同じ光経路を辿る。光記録媒体９４の情報記録面で反射された光は、対物レンズ９２へ入射して平行光に変換され、コリメートレンズ９１を通過して、ビームスプリッタ９０によって９０度屈曲されて第２遮光アパーチャ８８を通過し、第２ホログラム素子８３のホログラム回折格子に入射する。ホログラム回折格子に入射した前記光記録媒体９４の情報記録面で反射された光は、回折されて第２受光素子８２に入射する。
【０１０７】
本実施の形態によれば、第１遮光アパーチャ７９を、第１ホログラム素子７４と、第１ホログラム素子７４に最隣接する光学部品であるビームスプリッタ９０との間の光経路上に配置するように構成しているので、第１光源７２から出射され、たとえばビームスプリッタ９０によって反射されることによって発生する前記第１迷光Ｂ１は、第１遮光アパーチャ７９によって遮光される。したがって、前記第１迷光Ｂ１が第１受光素子７３へ入射することを確実に防止することができ、安定したフォーカス誤差信号、トラッキング誤差信号および情報信号の検出を行うことができる。
【０１０８】
また本実施の形態によれば、第２遮光アパーチャ８８を、第２ホログラム素子８３と、第２ホログラム素子８３に最隣接する光学部品であるビームスプリッタ９０との間の光経路上に配置するように構成しているので、第２光源８１から出射され、たとえばビームスプリッタ９０によって反射されることによって発生する前記第３迷光Ｂ３は、第２遮光アパーチャ８８によって遮光される。したがって、前記第３迷光Ｂ３が第２受光素子８２へ入射することを確実に防止することができ、安定したフォーカス誤差信号、トラッキング誤差信号および情報信号の検出を行うことができる。
【０１０９】
さらに本実施の形態では、第１遮光アパーチャ７９における第１光軸Ｌ１１に垂直な面でかつ第１光源７２に臨む面に、凹状の曲面である第１不要光案内面７９ａを形成しているので、第１光源７２から出射され、前記第１不要光案内面７９ａで反射されることによって発生する第２迷光Ｂ２を、第１受光素子７３以外の方向へ導くことができる。これによって、前記第２迷光Ｂ２が第１受光素子７３に入射することを確実に防止することができ、安定したフォーカス誤差信号、トラッキング誤差信号および情報信号の検出を行うことができる。
【０１１０】
また、第１遮光アパーチャ７９の第１不要光案内面７９ａが粗いために散乱光が発生する場合を考慮して、前記散乱光の発生を防止するために、前記第１不要光案内面７９ａを反射防止処理によって形成してもよい。反射防止処理としては、たとえば第１遮光アパーチャ７９の第１光源７２に臨む面に反射防止膜を形成する場合と、第１遮光アパーチャ７９の第１光源７２に臨む面に表面加工を施す場合とがある。
【０１１１】
反射防止膜を形成する場合には、第１遮光アパーチャ７９の第１光源７２に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【０１１２】
第１不要光案内面７９ａを、前述の反射防止処理によって形成することによって、第１光源７２から出射されたレーザ光は、第１不要光案内面７９ａで反射されずに吸収されるので、散乱光が発生することを防止することができる。したがって、前記散乱光が第１受光素子７３に入射することを防止することができ、安定したフォーカス誤差信号、トラッキング誤差信号および情報信号の検出を行うことができる。
【０１１３】
さらに本実施の形態では、第２遮光アパーチャ８８における第２光軸Ｌ２２に垂直な面でかつ第２光源８１に臨む面に、凹状の曲面である第２不要光案内面８８ａを形成しているので、第２光源８１から出射され、前記第２不要光案内面８８ａで反射されることによって発生する第４迷光Ｂ４を、第２受光素子８２以外の方向へ導くことができる。これによって、前記第４迷光Ｂ４が第２受光素子８２に入射することを確実に防止することができ、安定したフォーカス誤差信号、トラッキング誤差信号および情報信号の検出を行うことができる。
【０１１４】
また、第２遮光アパーチャ８８の第２不要光案内面８８ａが粗いために散乱光が発生する場合を考慮して、前記散乱光の発生を防止するために、前記第２不要光案内面８８ａを反射防止処理によって形成してもよい。反射防止処理としては、たとえば第２遮光アパーチャ８８の第２光源８１に臨む面に反射防止膜を形成する場合と、第２遮光アパーチャ８８の第２光源８１に臨む面に表面加工を施す場合とがある。
【０１１５】
反射防止膜を形成する場合には、第２遮光アパーチャ８８の第２光源８１に臨む面に、たとえば黒色の艶消しラッカースプレーを塗布する。また、表面加工を施す場合には、射出成形のときに用いる金型の表面にエッチングによって、いわゆるしぼ加工を施し、金型の表面に微細な凹凸を形成する。
【０１１６】
第２不要光案内面８８ａを、前述の反射防止処理によって形成することによって、第２光源８１から出射されたレーザ光は、第２不要光案内面８８ａで反射されずに吸収されるので、散乱光が発生することを防止することができる。したがって、前記散乱光が第２受光素子８２に入射することを防止することができ、安定したフォーカス誤差信号、トラッキング誤差信号および情報信号の検出を行うことができる。
【０１１７】
本実施の形態では、第１遮光アパーチャ７９と第１ホログラムユニット７８の第１ホログラム素子７４に最隣接する光学部品であるビームスプリッタ９０とを一体に構成するとともに、第２遮光アパーチャ８８と第２ホログラムユニット８７の第２ホログラム素子８３に最隣接する光学部品であるビームスプリッタ９０とを一体に構成してもよい。たとえば、前記ビームスプリッタ９０をハウジング９３に設置するときに用いられる図示しないビームスプリッタ用ホルダに第１および第２遮光アパーチャ７９，８８を形成し、第１および第２遮光アパーチャ７９，８８が形成されたビームスプリッタ用ホルダとビームスプリッタ９０とを一体化してハウジング９３に設置するようにする。
【０１１８】
前述のように、第１および第２遮光アパーチャ７９，８８と、第１および第２ホログラムユニット７８，８７の各ホログラム素子７４，８３に最隣接する光学部品であるビームスプリッタ９０とが一体に構成することによって、製造時における光学部品の部品点数および組立て工程数が削減されるとともに、光軸調整などの光学的調整作業も簡素化され、光ピックアップ装置７１の生産性を向上することができる。
【０１１９】
また本実施の形態では、第１遮光アパーチャ７９と第１ホログラムユニット７８の第１ホログラム素子７４とを一体に構成するとともに、第２遮光アパーチャ８８と第２ホログラムユニット８７の第２ホログラム素子８３とを一体に構成してもよい。光ピックアップ装置７１を組立てるときは、第１および第２ホログラムユニット７８，８７の光軸調整などの光学的調整作業を行う必要がある。第１および第２ホログラムユニット７８，８７の光学的調整作業は、第１および第２ホログラムユニット７８，８７を、第１および第２ホログラムユニット７８，８７を保持するための図示しない第１および第２ホログラムユニット用ホルダに嵌め込み、この第１および第２ホログラムユニット用ホルダを掴みながら行う。
【０１２０】
そこで、前記第１ホログラムユニット用ホルダに第１遮光アパーチャ７９を形成し、第１遮光アパーチャ７９が形成された第１ホログラムユニット用ホルダに前記第１ホログラムユニット７８を嵌め込み、第１遮光アパーチャ７９と、第１ホログラムユニット７８の第１ホログラム素子７４とを一体化する。また、前記第２ホログラムユニット用ホルダに第２遮光アパーチャ８８を形成し、第２遮光アパーチャ８８が形成された第２ホログラムユニット用ホルダに前記第２ホログラムユニット８７を嵌め込み、第２遮光アパーチャ８８と、第２ホログラムユニット８７の第２ホログラム素子８３とを一体化する。
【０１２１】
前述のように、第１遮光アパーチャ７９と第１ホログラムユニット７８の第１ホログラム素子７４とを一体に構成するとともに、第２遮光アパーチャ８８と第２ホログラムユニット８７の第２ホログラム素子８３とを一体に構成することによって、製造時における光学部品の部品点数および組立て工程数が削減されるとともに、光軸調整などの光学的調整作業も簡素化され、光ピックアップ装置７１の生産性を向上することができる。
【０１２２】
さらに本実施の形態では、第１および第２遮光アパーチャ７９，８８と、ハウジング９３とを一体に構成してもよい。第１および第２遮光アパーチャ７９，８８と、ハウジング９３とを一体に構成することによって、製造時における光学部品の部品点数および組立て工程数が削減されるとともに、光軸調整などの光学的調整作業も簡素化され、光ピックアップ装置７１の生産性を向上することができる。
【０１２３】
また前述のように、光学部品の部品点数を削減することによって、光ピックアップ装置７１の小型化および軽量化を図ることができるとともに、光ピックアップ装置７１の製造コストを低減することができる。
【０１２４】
前述の実施の形態は、本発明の例示に過ぎず、本発明の範囲内において構成を変更することができる。たとえば、前述の光ピックアップ装置７１では、光ピックアップ装置２１で用いた遮光アパーチャ２９と同一の遮光アパーチャを第１および第２遮光アパーチャ７９，８８として用いた場合について説明したが、本発明の他の実施の形態では、光ピックアップ装置７１において、光ピックアップ装置４１，５１，６１でそれぞれ用いた遮光アパーチャ４２，５２，６２のうちいずれかの遮光アパーチャを用いた場合でも好適に実施することができる。
【図面の簡単な説明】
【０１２５】
【図１】本発明の第１の実施の形態である光ピックアップ装置２１の構成を簡略化して示す図である。
【図２】本発明の第２の実施の形態である光ピックアップ装置４１の構成を簡略化して示す図である。
【図３】本発明の第３の実施の形態である光ピックアップ装置５１の構成を簡略化して示す図である。
【図４】本発明の第４の実施の形態である光ピックアップ装置６１の構成を簡略化して示す図である。
【図５】本発明の第５の実施の形態である光ピックアップ装置７１の構成を簡略化して示す図である。
【図６】従来の技術の光ピックアップ装置１の構成を簡略化して示す図である。
【符号の説明】
【０１２６】
２１，４１，５１，６１，７1  光ピックアップ装置
２２  光源
２３  受光素子
２４  ホログラム素子
２５  ステム
２６  リード電極
２７  キャップ
２８  ホログラムユニット
２９，４２，５２，６２，７９，８８  遮光アパーチャ
３０，９１  コリメートレンズ
３１，９２  対物レンズ
３２，９３  ハウジング
３３，９４  光記録媒体
７２  第１光源
７３  第１受光素子
７４  第１ホログラム素子
７５  第１ステム
７６  第１リード電極
７７  第１キャップ
７８  第１ホログラムユニット
８１  第２光源
８２  第２受光素子
８３  第２ホログラム素子
８４  第２ステム
８５  第２リード電極
８６  第２キャップ
８７  第２ホログラムユニット
９０  ビームスプリッタ
Ｌ１  光軸
Ｌ１１  第１光軸
Ｌ２２  第２光軸
Ａ１，Ｂ１  第１迷光
Ａ２，Ｂ２  第２迷光
Ｂ３  第３迷光
Ｂ４  第４迷光
【図１】
2005216458.tif 000003
【図２】
2005216458.tif 000004
【図３】
2005216458.tif 000005
【図４】
2005216458.tif 000006
【図５】
2005216458.tif 000007
【図６】
2005216458.tif 000008